(57)【要約】  貯蔵容器組立品は、開口部と、開口部を覆うための蓋と、を有する容器を含む。蓋は、上蓋と、ボタンと、カムと、台座と、下方側プレートと、ガスケットと、を含む。ボタンは、突出位置と押下位置との間で上蓋に対して第１の軸方向に移動可能である。ボタンが、突出位置から押下位置まで移動したときに、押下位置を維持するように、かつ、ボタンが、押下位置にある間において再度押されるまでは、押下位置に留まるように、カムは、ボタンと連携するように構成されている。下方側プレートは、上蓋と連結されている。ガスケットは、ボタンの交互の作動に応えて、収縮状態と拡張状態との間で移動可能であり、ガスケットは、下方側プレートと上蓋との間に置かれている。
2021506694.tif 000002
【特許請求の範囲】
【請求項１】
貯蔵容器組立品であって、
開口部を有する容器と、
前記開口部を覆うための蓋であって、前記蓋は、前記蓋の上部表面を画定する上蓋と、ボタンと、を含み、前記ボタンは、前記ボタンの上面が前記蓋の前記上部表面からオフセットした突出位置と前記ボタンの前記上面が、前記突出位置と比べて前記蓋の前記上部表面の近くにある押下位置との間で、前記上蓋に対する第１の軸方向に移動可能である、前記蓋と、
前記ボタンが、前記突出位置から前記押下位置へ移動したときに、前記押下位置を維持するように、かつ、前記ボタンが、前記押下位置にある間に再度押されるまで、前記押下位置に留まるように、前記ボタンと連携するように構成されたカムと、
前記上蓋と連結される台座であって、前記カムが、前記ボタンと前記台座との間に配置される、前記台座と、
前記上蓋と連結される下方側プレートと、
前記ボタンの交互に起こる作動に応じて収縮状態と拡張状態との間を移動可能であるガスケットであって、前記下方側プレートと前記上蓋との間に置かれた前記ガスケットと、
を備えた、貯蔵容器組立品。
【請求項２】
前記ガスケットは、前記台座の下部表面の全体を覆う、請求項１に記載の貯蔵容器組立品。
【請求項３】
前記台座は、突起部を含んでおり、前記ガスケットは、前記突起部を受け入れる突起収納部を含む、請求項２に記載の貯蔵容器組立品。
【請求項４】
前記下方側プレートは、前記突起部と、前記突起部を取り囲む前記ガスケットの一部分と、を受け入れる突起空洞部を含む、請求項３に記載の貯蔵容器組立品。
【請求項５】
前記ガスケットは、ガスケット底部と、前記ガスケット底部から上方側へ延在する側壁と、を含んでおり、前記下方側プレートは、前記ガスケット底部の全体を覆う、請求項１に記載の貯蔵容器組立品。
【請求項６】
前記ガスケットは、把持凹部及び前記把持凹部の中に配置された把持部材を画定するために、前記ガスケット底部から上方側へ延在する内壁を含む、請求項５に記載の貯蔵容器組立品。
【請求項７】
前記ガスケットは、側壁と、該側壁から外側へ延在する封止縁部と、を含む、請求項１に記載の貯蔵容器組立品。
【請求項８】
請求項１に記載の貯蔵容器組立品であって、
前記第１の軸方向を横切る第２の軸方向に、後退位置と延在位置との間を移動可能なガスケット押出部であって、前記ガスケット押出部は、前記後退位置から前記延在位置へ移動するときに、前記ガスケットを前記拡張状態へ向けて押す、前記ガスケット押出部と、
前記ガスケット押出部を有する前記ボタンと動作可能に連結されたアームであって、前記突出位置から前記押下位置への前記ボタンの移動は、前記アームの枢軸移動をもたらすと共に、前記ガスケット押出部を、前記ガスケットの前記拡張状態への移動をもたらす前記第２の軸方向に移動する、前記アームと、
をさらに備える、貯蔵容器組立品。
【請求項９】
前記ガスケット押出部は、複数のガスケット押出部のうちの１つであると共に前記アームは、複数のアームのうちの１つであって、前記蓋は、プラスチック材料の一体成形品であって、前記複数のガスケット押出部と複数の引張連結要素とを含むウエブをさらに備えており、各前記引張連結要素は、隣接するガスケット押出部と相互に連結する、請求項８に記載の貯蔵容器組立品。
【請求項１０】
前記複数のアームのうちの少なくとも１つは、前記ボタンが、前記突出位置にあるときに、各ガスケット押出部からオフセットした遠位部を含む、請求項９に記載の貯蔵容器組立品。
【請求項１１】
前記ウエブは、ハブと、前記複数のアームの少なくとも１つのアームと、を含んでおり、前記複数のアームは、前記ハブを有する各前記アームと連結する第１ヒンジ部を含む、請求項９に記載の貯蔵容器組立品。
【請求項１２】
前記複数のアームの少なくとも１つのアームは、第２ヒンジ部を含んでおり、前記第２ヒンジ部は、各ガスケット押出部と前記第２ヒンジ部を含む各前記アームとを連結する、請求項１１に記載の貯蔵容器組立品。
【請求項１３】
前記ボタンが、前記上蓋に対して移動されたときに、前記下方側プレートが前記上蓋に対して移動しないように、前記下方側プレートは、前記上蓋と連結している、請求項１に記載の貯蔵容器組立品。
【請求項１４】
前記ボタンが、前記上蓋に対して移動されたときに、前記台座が前記上蓋に対して移動しないように、前記台座は、前記上蓋と連結している、請求項１に記載の貯蔵容器組立品。
【請求項１５】
蓋を組み立てるための方法であって、
台座にカムを配置することと、
ウエブを前記台座に配置することであって、前記ウエブは、ハブと、複数のアームと、複数のガスケット押出部と、複数の引張連結要素と、を含んでおり、各アームは、前記ハブと連結されると共に各ガスケット押出部と関連付けられており、各引張連結要素は、隣接するガスケット押出部と相互に連結している、前記ウエブを前記台座に配置することと、
ボタンを前記カムと連結することと、
前記ボタンを受け入れるためのボタン穴を含む上蓋を、前記台座に配置すると共に、前記台座と前記上蓋とを連結することと、
前記台座に、ガスケットを取り付けることと、
前記台座及び前記ガスケットの少なくとも１つに、下方側プレートを取り付けることと、
を備える、方法。
【請求項１６】
前記下方側プレートを取り付けることは、前記台座の突起部を前記下方側プレートの突起空洞部へ挿入することを含む、請求項１５に記載の方法。
【請求項１７】
前記ガスケットを取り付けることは、前記台座の突起部を前記ガスケットの突起収納部へ挿入することを含む、請求項１５に記載の方法。
【請求項１８】
前記ガスケットを取り付けることは、前記台座の下部表面の全体を前記ガスケットで覆うことを含む、請求項１５に記載の方法。
【請求項１９】
前記下方側プレートを取り付けることは、前記ガスケットのガスケット底部の全体を前記下方側プレートで覆うことを含む、請求項１５に記載の方法。
【発明の詳細な説明】
【技術分野】
【０００１】
本開示は、容器を密封することができる蓋を有する貯蔵容器に関する。米国特許第７８１５０６７号明細書は、同じタイプの容器を開示する。
【発明の概要】
【課題を解決するための手段】
【０００２】
貯蔵容器組立品は、開口部及び開口部を覆うための蓋を有する容器を含む。蓋は、上蓋と、ボタンと、カムと、台座と、下方側プレートと、ガスケットと、を含む。上蓋は、蓋の上部表面を画定する。ボタンは、ボタンの上面が蓋の上部表面からオフセットした突出位置とボタンの上面が突出位置と比べて蓋の上部表面の近くにある押下位置との間で、上蓋に対する第１の軸方向に移動可能である。ボタンが、突出位置から押下位置へ移動したときに、押下位置を保ち、かつ、ボタンが、押下位置にある間に再度押されるまで、押下位置に留まるように、カムは、ボタンと連携するように構成されている。台座は、上蓋と連結されている。カムは、ボタンと台座との間に配置されている。下方側プレートは、上蓋と連結されている。ガスケットは、ボタンの交互に起こる作動に応じて収縮状態と拡張状態との間で移動可能であり、ガスケットは、下方側プレートと上蓋との間に置かれている。
【０００３】
蓋を組み立てるための方法は、台座にカムを配置することと、ウエブを台座に配置することと、を含む。ウエブは、ハブと、複数のアームと、複数のガスケット押出部と、複数の引張連結要素と、を含む。各アームは、ハブと連結されると共に各ガスケット押出部と関連付けられる。各引張連結要素は、隣接するガスケット押出部と相互に連結する。方法は、さらに、ボタンとカムとを連結することと、上蓋を台座に配置することと、台座と上蓋とを連結することと、を含む。上蓋は、ボタンを受け入れるボタン開口部を含む。方法は、また、ガスケットを台座に取り付けることと、下方側プレートを台座及びガスケットの少なくとも１つに取り付けることと、を含む。
【図面の簡単な説明】
【０００４】
【図１】図１は、容器及び容器を密封できる蓋を含む容器組立品の斜視図である。
【図２】図２は、容器から蓋が取り外された容器組立品のもう１つの斜視図である。
【図３】図３は、図１及び図２に描写された容器組立品のための蓋の分解組立図である。
【図４】図４は、図１及び図２に描写された容器組立品のための蓋のもう１つの分解組立図である。
【図５】図５は、図１及び図２に描写された容器組立品の蓋の台座の上のウエブの斜視図である。
【発明を実施するための形態】
【０００５】
図１は、容器１２と、蓋１４と、を含む貯蔵容器組立品１０を描写する。図２は、容器１２から取り外された蓋１４を描写する。容器１２は、通常、長方形（正方形）に構成された（平面図）側壁１６と、底壁１８と、を含む。側壁１６は、底壁１８の周囲から上方へ延在すると共に内部に品物が配置される容積部２０を画定する。側壁は、上方側開口部２２と、この開口部を覆う蓋１４と、を画定する。側壁１６は、容器１２のための内側表面２４も画定し、蓋１４は、内側表面２４を密封することができる。
【０００６】
図３は、図１及び図２に示された蓋１４の分解組立図を描写する。蓋１４は、ボタン３０と、上蓋３２と、ウエブ３４と、カム３６と、台座３８と、ガスケット４０と、下方側プレート４２と、を含む。ボタン３０の移動は、ガスケット４０の移動をもたらす。図２を参照すると、第１の軸方向、例えば、矢印４４に平行な方向、でのボタン３０の移動は、第１の軸方向に対して垂直な第２の軸方向、例えば、矢印４６に平行な方向、でのガスケット４０の移動をもたらす。ボタン３０の作動は、ガスケット４０を、収縮状態からガスケット４０が容器１２の内側表面２４と接触する拡張状態へ向けて移動する。
【０００７】
ボタン３０は、一般的に円形状に構成されているとして示されているが、ボタンは、正方形状、長方形状又は別の多角形の構成のような別の構成をとることができる。ボタン３０は、ボタン３０を移動するために、通常操作者によって押される表面である上面５２を画定する上部５０を含む。上面５２は、説明されている実施形態においては、通常は平面状であり、一般的には、容器１２が、通常の使用で水平面に載っているときには、水平方向に向けられている。ボタン３０は、上部５０の周囲から下方側へ延在する周囲スカート部５４を含む。周囲スカート部５４は、環状又は円筒形状に構成されており、説明されている実施形態においては、容器１２が、通常の使用で水平面に載っているときには、垂直である。タブ５６（４つが、説明されている実施形態において示されている）は、周囲スカート部５４の下方側自由端から径方向の外側へ向けて延在する。タブ５６は、ボタン３０と上蓋３２との連結を促進する。図４を参照すると、ボタン３０は、遮られることができ、上部５０から下方側へ延在しており、周囲スカート部５４から径方向内側へオフセットする内側環状フランジ５８を含む。ボタン３０は、さらに、中央に配置された掛り部６０を含むと共に上部５０から下方側へ向けて延在する。掛り部６０は、十字形状基部６２を含むと共にボタン３０とカム３６とを連結するために設けられている。
【０００８】
上蓋３２は、通常は、蓋１４の上部表面７２を画定する上部７０に水平に配置されている。ボタン穴７４のすぐ周囲の上部表面７２の一部分は、説明されている実施形態においては、通常は平面であると共に一般的には、容器１２が、例えば、テーブルのような、水平支持表面に載っているときには、水平方向に方向づけられており、蓋１４は、容器１２の上方側開口部２２（図２）を覆っている。ボタン穴７４は、ボタン３０を受け入れるための上蓋３２に設けられている。説明されている実施形態におけるボタン穴７４は、ボタン３０が円形であるため、円形である。しかしながら、ボタン穴７４は、ボタンが異なる形に成形されている場合は、特に別の形としてもよい。付属部７６は、ボタン穴７４の近くの上部７０から下方側にある。４つの付属部７６は、説明されている実施形態（図４参照）において示されている。各付属部７６は、ボタン３０上の各タブ５６を受け入れるための各間隙７８を画定するために、隣接する付属部と離間している。タブ５６は、ボタン３０が押されるとき及び解放されるときに、間隙７８の内側で移動する。間隙７８に収まっている（riding in）タブ５６は、上蓋３２に対するボタン３０の回転移動を防止する。上蓋３２は、上蓋３２の台座３８への取り付けを促進するために、対立部（standoff）８４（図４）に設けられた固定具開口部８２を含む。
【０００９】
上蓋３２は、上部７０の周囲から下方側にある垂直方向に方向づけられた周囲スカート部８６を含む。周囲スカート部８６は、通常は容器１２の側壁１６の構造と一致する。内部垂直壁８８は、上部７０から下方側にあると共に周囲スカート部８６から内側にオフセットしている。内部垂直壁８８は、周囲スカート部８６と同じ形状をしているが、これよりも小さい。ウエブ３４と連携するリブ９０は、上部７０から下方側へ延在する。溝９２は、周囲スカート部８６と内部垂直壁８８との間に形成されている。ガスケット４０の少なくとも一部分は、溝９２に受け入れられる。
【００１０】
図３を参照すると、ウエブ３４は、ハブ１００を含むプラスチック材料の一体成形品であり、アーム（長手アーム１０２と、短手アーム１０４と、を含む。）と、ガスケット押出部（ガスケット隅押出部１０６と、ガスケット中央押出部１０８と、を含む。）と、引張連結要素１１０と、を含む。各アーム１０２、１０４は、ハブ１００と連結すると共に各ガスケット押出部１０６、１０８と関連付けられている。各引張連結要素１１０は、各ガスケット押出部１０６、１０８と隣接するガスケット押出部とを連結する。ボタン３０の移動は、ハブ１００の移動をもたらし、ハブ１００の移動は、アーム１０２、１０４の移動をもたらし、アーム１０２、１０４の移動は、ガスケット押出部１０６、１０８の移動をもたらし、ガスケット押出部１０６、１０８の移動は、ガスケット４０の移動をもたらす。
【００１１】
ハブ１００は、ボタン３０上の掛り部６０を受け入れることができる中央開口部１１４を含む。ハブ１００は、カム３６と連携するラチェット歯１１６（図４）を含む。
【００１２】
長手アーム１０２は、ハブ１００の下方側端部から外側へ延在すると共にハブ１００とウエブ３４の隅に配置された各ガスケット隅押出部１０６とを連結する。各長手アーム１０２は、長手アーム１０２とハブ１００とを連結する第１の（近位の）ヒンジ部１２０と、各ガスケット隅押出部１０６と長手アーム１０２とを連結する第２の（遠位の）ヒンジ部１２２と、を含む。各ヒンジ部１２０、１２２は、屈曲部として作動する。各ヒンジ部１２０、１２２は、ヒンジ部の間の各長手アーム１０２の部分と比べて小さい厚みを有する。
【００１３】
短手アーム１０４も、ハブ１００の下方側端部から外側へ延在する。各短手アーム１０４は、ウエブ３４の各ガスケット隅押出部１０６の間に配置された各ガスケット中央押出部１０８と関連付けられる。各短手アーム１０４は、短手アーム１０４とハブ１００とを連結する近位ヒンジ部１３０と、各ガスケット中央押出部１０８と関連付けられると共に選択的に接触する遠位部１３２と、を含む。近位ヒンジ部１３０は、屈曲部として作動する。図３に示される向きによって、ハブ１００が、矢印４４（図２）の方向に従って下方側へ移動されると、短手アーム１０４の残りの部分よりも幅の広い遠位部１３２は、矢印４４を横切って各ガスケット中央押出部１０８へ向かう方向において台座３８に沿って移動する。遠位部１３２が各ガスケット中央押出部１０８と接触した後に、ハブ１００が下方側へ移動し続けると、遠位部１３２は、ハブ１００から外側へ離れる横方向に各ガスケット中央押出部１０８を押す。
【００１４】
各ガスケット押出部１０６、１０８は、ガスケット４０と接触する各ガスケット接触面１３６、１３８を含む。ガスケット隅押出部１０６上の各ガスケット接触面１３６は、通常はＬ字形状であると共にガスケット中央押出部１０８上の各ガスケット接触面１３８は、平面視で線状である。各ガスケット隅押出部１０６は、ガスケット隅押出部１０６及びウエブ３４のための位置決め特性を提供すると共にガスケット隅押出部１０６の移動を制限するための開口部１４０を含むことができる。各ガスケット中央押出部１０８は、上蓋３２の上部７０から下方側へ延在するリブ９０を受け入れる切込部１４２を含むことができ、上述の横方向に沿った方向以外の方向におけるガスケット中央押出部１０８の移動を抑制する。
【００１５】
引張連結要素１１０は、隣接するガスケット押出部１０６、１０８と相互に連結する。説明されている実施形態においては、８つのガスケット押出部１０６、１０８が設けられると共に８つの引張連結要素１１０によって相互に連結されており、引張連結要素１１０は、それぞれリング形状である。ガスケット押出部１０６、１０８が、延在位置にあるとき、引張連結要素１１０は、ガスケット押出部１０６、１０８を後退位置へ戻るように張力をかける。カム３６は、しかしながら、ボタン３０が、押下位置へおかれた後に再度押されるまで、ガスケット押出部１０６、１０８を延在位置に留まらせる。
【００１６】
カム３６は、垂直溝１４６及びラチェット歯１４８を有する円筒体１４４を含む。カム３６は、ハブ１００の中央開口部１１４及びカム３６の開口部１５２を通じて挿入されることによって、掛り部６０を介してボタン３０と連結する。カム３６は、掛り部６０上のボタン３０に対して回転する。ガスケット４０は、突出位置（図１）へ向けてボタン３０を付勢するためにウエブ３４に対して作用する。
【００１７】
台座３８は、上蓋３２に面する上部表面１６２と、蓋１４が容器の上にあるときの容器１２の容積部２０に面する下部表面１６４（図４）と、を有するプレート部１６０から形成されている。図５に見られるように、ガスケット隅押出部との対立部１６６は、各ガスケット隅押出部１０６に設けられた開口部１４０に受け入れられる。固定具１６８は、ガスケット隅押出部との対立部１６６から上方側へ延在すると共に上蓋３２を台座３８に取り付けるために対立部８４（図４）に設けられた固定具開口部８２に受け入れられる。アームとの対立部１７２は、上部表面１６２から上方側へ延在すると共に各一対が各短手アーム１０４を受け入れるように、一対で適切に離間されている。対立部１６６、１７２は、ウエブ３４の台座３８上への配置に役立つ。対立部１６６、１７２は、台座３８から上方側へ向けて延在するとして示されているが、必要ならば、対立部を、上蓋３２の上部７０から下方側へ向けて延在することができる。台座３８は、ボタン３０が上蓋３２に対して押される又は移動されるときに、台座３８が上蓋３２に対して移動しないように、上蓋３２と連結する。この代わりに、ガスケット４０だけが、上蓋３２及び下方側プレート４２に対して外側へ移動する。
【００１８】
台座３８は、上部表面１６２までずっと垂直に延在しておらず、内側へ向けて延在する上方側突出部１７６を有する中央環状突起部１７４をさらに含む。ボタン３０が、ボタンの上面５２が蓋１４の上部表面７２からオフセットしている突出位置において安定し（図１に示されている）、かつ、ボタン３０の上面５２が、突出位置と比べて蓋１４の上部表面の近くにある押下位置において安定するように、カム３６は、中央環状突起部１７４に受け入れられており、垂直溝１４６は、突出部１７６と連携している。ハブ１００上のラチェット歯１１６（図４）は、既知のボールペン機構と同様の態様で、カム３６上のラチェット歯１４８と連携しており、ボタンを突出位置及び押下位置の一方に保つことを許容する。ボタン３０が押されると、ボタン３０は、ハブ１００を押下げる。説明されている実施形態では中断されている内側環状フランジ５８及び十字形状基部６２は、ハブ１００に対するボタン３０の回転が起きないようにするためにハブ１００と係合する。ハブ１００上のラチェット歯１１６は、中央環状突起部１７４上の突出部１７６が、もはや垂直溝１４６と係合しなくなったときに、カム３６を押下げると共にカム３６を回転する、カム３６上のラチェット歯１４８と係合する。中央環状突起部１７４に対するカム３６の回転方向によって、ボタン３０は、突出位置又は押下位置のいずれかにある。カム３６は、押下位置にある間に再度押されるまで、ボタン３０を押下位置に維持することができる１つのタイプのカム機構だけである。カム機構の他の既知のタイプを採用することができる。
【００１９】
図４を参照すると、円形突起部１８２が、プレート部１６０の下部表面１６４から下方側へ離れるように延在する台座３８の上に設けられている。円形突起部１８２は、延在するガスケット４０及び下方側プレート４２の取り付けを促進するための下部表面１６４から下方側へ延在する。
【００２０】
ガスケット４０は、説明されている実施形態において実質的に平面のガスケット底部１９０を含む。下方側側壁１９２は、ガスケット底部１９０の外縁から下方側へ延在する。下方側側壁１９２は、肩部１９６を通って上方側側壁１９４へ移行しており、上方側側壁１９４は、下方側側壁１９２よりも大きい矩形状である。上方側側壁１９４は、蓋１４が最終的に組み立てられたときに、周囲スカート部８６と上蓋３２上の内部垂直壁８８との間に形成された溝９２に受け入れられる上方側自由端部１９８において終結する。圧入部２０２は、ガスケット４０の上蓋３２からの移動を促進するために上方側自由端部１９８の隅に設けられている。ガスケット４０は、下方側側壁１９２から、かつ、上方側側壁１９４へ向けて外側へ延在する封止縁部２０４も含む。封止縁部２０４は、ガスケット４０が拡張状態にあるときに、容器１２の内側表面２４に対して押されている。
【００２１】
ガスケット４０は、ガスケット底部１９０から下方側にある円筒壁２０６を含む。下方側円形壁２０８は、ガスケット４０を台座３８に取り付けるために突起部１８２を受け入れる突起収納部２１２を画定する円筒壁２０６の下方側端部から延在する。ガスケット４０は、説明されている実施形態では、台座３８の下部表面１６４の全体を覆う。ガスケット４０は、ガスケット底部１９０から上方側へ延在する内壁２１６を含む。上壁２１８は、把持凹部２２０を内壁２１６と共に画定するために内壁２１６の上方側端部から延在する。把持部材２２２は、把持凹部２２０の内部に配置される。使用者は、ガスケット４０を台座３８及び上蓋３２から移動するために把持部材２２２を把持することができる。
【００２２】
下方側プレート４２は、底壁２３０と、底壁２３０の周囲から上方側へ延在する周壁２３２と、を含む。下方側プレート４２は、底壁２３０から下方側にある下方側プレートの円筒壁２３４を含む。下方側プレートの円筒壁２３４は、下方側円形壁２０８の直径よりもわずかに大きい直径を有する。下方側プレートの円形壁２３６は、突起部１８２及び突起部１８２の周囲のガスケット４０の一部分を受け入れる突起空洞部２３８を画定するために下方側プレートの円筒壁２３４の下方側端部から延在する。下方側プレート４２は、表面としての機能を提供すると共にガスケット底部１９０の全体を覆うことができる。下方側プレート４２は、滑らかな剛性プラスチック材料から作られており、ガスケット４０はシリコンのような弾力材から作られている。下方側プレート４２は、容器１２に貯蔵されている品物にガスケット４０が突き刺さることが起きないようにするために、ガスケット４０を覆う。下方側プレート４２は、ボタン３０が上蓋３２に対して押された又は移動されたときに、下方側プレート４２が上蓋３２に対して移動しないように、ガスケット４０及び台座３８を通じて上蓋３２と連結する。この代わりに、ガスケット４０だけが、上蓋３２及び下方側プレート４２に対して外側へ移動する。下方側プレートの円筒壁２３４は、台所用品（例えば、スプーン、スクーパ）及び容器１２の他の内容物と一緒に容器１２に貯蔵することができる他の道具の連結を許容するために適切に成形されてもよい。
【００２３】
ボタン３０は、突出位置（図２に示されている。）とボタン３０の上面５２が、蓋１４の上部表面７２と同一平面となる押下位置との間で、上蓋３２に対して第１の軸方向（図２の矢印４４に平行）に移動可能である。カム３６は、既知のボールペン機構と同一であること及びカム３６とボタン３０との間の連結によって、ボタン３０は、再度押されるまでは、押下位置に留まることができ、そのとき、弾力材から作られたガスケット４０は、押下位置から突出位置へ向けてボタン３０を付勢する。突出位置から押下位置へ向けたボタン３０の移動は、少なくとも１つのアーム１０２、１０４（説明された実施形態における各アーム）の枢軸移動をもたらす。
【００２４】
蓋１４は、簡単な方法で組み立てることができる。蓋１４を組み立てるための方法は、カム３６を台座３８上に配置することと、ウエブ３４を台座３８上に配置することと、を含む。方法は、ボタン３０をカム３６に連結することと、台座３８上に上蓋３２を配置することと、台座３８を上蓋３２に連結することと、をさらに含む。方法は、ガスケット４０を台座３８に取り付けることと、台座３８及びガスケット４０の少なくとも１つに下方側プレート４２を取り付けることと、をさらに含む。台座３８上の突起部１８２は、台座３８に取り付けられたガスケット４０を有する下方側プレート４２内の突起空洞部２３８に挿入することができる。台座３８上の突起部１８２は、突起部１８２を突起空洞部２３８に挿入するのに先立って、ガスケット４０における突起収納部２１２に挿入することができる。
【００２５】
蓋１４を組み立てるための方法は、お互いの最上部に構成要素を容易に積み重ねて、組立工程を促進することを許容する。上記の手順の順序は、記載された順序を正確に実行する必要はない。
【００２６】
上記で開示されたもの、並びに、他の特徴及び機能、若しくは、これらの代替又は変形、の様々なものが、望ましくは多くの他の異なるシステム又はアプリケーションに組み合わされてもよいことが理解される。また、現時点で予見しない、又は、予期しない様々な代替、修正、変形、若しくは、改良が、その後に当業者によってなされてもよく、これらも以下の特許請求の範囲によって包含されることが意図される。
【図１】
2021506694.tif 000003
【図２】
2021506694.tif 000004
【図３】
2021506694.tif 000005
【図４】
2021506694.tif 000006
【図５】
2021506694.tif 000007
【国際調査報告】
2021506694.tif 000008